Podtech/llm-jp-corpus-v4-ja_patent huggingface dataset:
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
基材、該基材の表面に設けられた弾性層、及び表層を有する定着部材であって、
該表層は、
下記構造式（１）で示される部分構造を有しているテトラフルオロエチレン−パーフルオロアルキルビニルエーテル共重合体を含み、かつ、
ぬれ張力が３１．０ｍＮ／ｍであるぬれ張力試験用混合液で測定した接触角が６７度以上である表面を有することを特徴とする定着部材：
【化１】
2014044401.tif 000001
。
【請求項２】
前記弾性層が、シリコーンゴムを含む請求項１に記載の定着部材。
【請求項３】
前記基材が、ポリイミド、ポリアミドイミドおよびポリエーテルスルホンからなる群から選ばれる少なくとも１つの樹脂を含む請求項１または２に記載の定着部材。
【請求項４】
前記基材が、ニッケルまたはステンレスを含む請求項１または２に記載の定着部材。
【請求項５】
前記基材の厚みが２０〜６０μｍである請求項１〜４のいずれか一項に記載の定着部材。
【請求項６】
請求項１〜５のいずれか一項に記載の定着部材と、該定着部材の加熱装置と、該定着部材に対向して配置されている加圧部材とを有することを特徴とする定着装置。
【請求項７】
請求項６に記載の定着装置を具備していることを特徴とする画像形成装置。
【請求項８】
基材と、
該基材の表面に設けられた弾性層と、
下記構造式（１）で示される部分構造を有しているテトラフルオロエチレン−パーフルオロアルキルビニルエーテル共重合体を含む表層と、を有する定着部材の製造方法であって、
該表層を、下記第一の工程〜第三の工程により形成することを特徴とする定着部材の製造方法：
（１）該弾性層の表面に形成した、未架橋のテトラフルオロエチレン−パーフルオロアルキルビニルエーテル共重合体を含む膜の温度を、該テトラフルオロエチレン−パーフルオロアルキルビニルエーテル共重合体のガラス転移点（Ｔｇ）以上、該テトラフルオロエチレン−パーフルオロアルキルビニルエーテル共重合体の融点より３０℃高い温度（Ｔｍ＋３０℃）以下の温度範囲に調整する第一の工程、
（２）該第一の工程にて調整した温度範囲にある、該テトラフルオロエチレン−パーフルオロアルキルビニルエーテル共重合体を含む膜の表面に、酸素濃度が１０００ｐｐｍ以下の雰囲気下、電離性放射線を照射し、該テトラフルオロエチレン−パーフルオロアルキルビニルエーテル共重合体に、下記構造式（１）で示される部分構造を形成せしめる第二の工程、
（３）該第二の工程によって得られた、下記構造式（１）で示される部分構造を有するテトラフルオロエチレン−パーフルオロアルキルビニルエーテル共重合体を含む膜の温度を、３４０℃以上３８０℃以下の温度範囲に調整する第三の工程：
【化２】
2014044401.tif 000002
。
【請求項９】
前記第一の工程において、テトラフルオロエチレン−パーフルオロアルキルビニルエーテル共重合体を含む膜の温度を、
該テトラフルオロエチレン−パーフルオロアルキルビニルエーテル共重合体のガラス転移点（Ｔｇ）以上、該テトラフルオロエチレン−パーフルオロアルキルビニルエーテル共重合体の融点より６０℃低い温度（Ｔｍ−６０℃）以下の温度範囲に調整する請求項８に記載の定着部材の製造方法。
【請求項１０】
前記第三の工程において、前記構造式（１）で示される部分構造を有するテトラフルオロエチレン−パーフルオロアルキルビニルエーテル共重合体を含む膜の温度を、３４０℃以上３８０℃以下の温度範囲内に５分以上維持する請求項８または９に記載の定着部材の製造方法。
【請求項１１】
前記第三の工程において、前記構造式（１）で示される部分構造を有するテトラフルオロエチレン−パーフルオロアルキルビニルエーテル共重合体を含む膜の温度を、３４０℃以上３８０℃以下の温度範囲内に維持する時間が、１０分以上、２０分以下である請求項１０に記載の定着部材の製造方法。
【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
内部に封入された遊技媒体を用いて遊技を行なう封入式遊技機であって、
遊技に使用された遊技媒体を回収して再び遊技に使用可能な位置にまで循環させるための循環経路と、
該循環経路の途中箇所に設けられ、該循環経路内を循環する遊技媒体を該循環経路から外へ排出可能な排出口と、
該排出口から排出された遊技媒体を、すべての遊技媒体を抜取るための抜取り部方向へ案内する第１状態と、サービス用遊技媒体として取出す取出部方向へ案内する第２状態とに切換可能な経路切換手段と、
該経路切換手段が前記第１状態以外かつ前記第２状態以外の状態である場合に、前記排出口からの遊技媒体の排出を禁止する排出禁止手段とを備える、封入式遊技機。
【請求項２】
内部に封入された遊技媒体を用いて遊技を行なう封入式遊技機の遊技枠であって、
遊技に使用された遊技媒体を回収して再び遊技に使用可能な位置にまで循環させるための循環経路と、
該循環経路の途中箇所に設けられ、該循環経路内を循環する遊技媒体を該循環経路から外へ排出可能な排出口と、
該排出口から排出された遊技媒体を、すべての遊技媒体を抜取るための抜取り部方向へ案内する第１状態と、サービス用遊技媒体として取出す取出部方向へ案内する第２状態とに切換可能な経路切換手段と、
該経路切換手段が前記第１状態以外かつ前記第２状態以外の状態である場合に、前記排出口からの遊技媒体の排出を禁止する排出禁止手段とを備える、遊技枠。
【手続補正２】
【補正対象書類名】明細書
【補正対象項目名】０００６
【補正方法】変更
【補正の内容】
【０００６】
（１）  内部に封入された遊技媒体（パチンコ玉）を用いて遊技を行なう封入式遊技機（パチンコ機２）であって、
遊技に使用された遊技媒体を回収して再び遊技に使用可能な位置（発射位置）にまで循環させるための循環経路（図２参照）と、
該循環経路の途中箇所に設けられ、該循環経路内を循環する遊技媒体を該循環経路から外へ排出可能な排出口（排出誘導部９１５ａ）と、
該排出口から排出された遊技媒体を、すべての遊技媒体を抜取るための抜取り部方向へ案内する第１状態（第１の位置）と、サービス用遊技媒体として取出す取出部方向へ案内する第２状態（第２の位置）とに切換可能な経路切換手段（スライド部材１７０）と、
該経路切換手段が前記第１状態以外かつ前記第２状態以外の状態である場合に、前記排出口からの遊技媒体の排出を禁止する排出禁止手段とを備える。
【手続補正３】
【補正対象書類名】明細書
【補正対象項目名】００２４
【補正方法】変更
【補正の内容】
【００２４】
（１０）  本発明の他の態様は、内部に封入された遊技媒体を用いて遊技を行なう封入式遊技機の遊技枠であって、
遊技に使用された遊技媒体を回収して再び遊技に使用可能な位置にまで循環させるための循環経路と、
該循環経路の途中箇所に設けられ、該循環経路内を循環する遊技媒体を該循環経路から外へ排出可能な排出口と、
該排出口から排出された遊技媒体を、すべての遊技媒体を抜取るための抜取り部方向へ案内する第１状態と、サービス用遊技媒体として取出す取出部方向へ案内する第２状態とに切換可能な経路切換手段と、
該経路切換手段が前記第１状態以外かつ前記第２状態以外の状態である場合に、前記排出口からの遊技媒体の排出を禁止する排出禁止手段とを備える。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
遊技者所有の遊技用価値を使用して遊技を可能にする遊技用装置と通信可能に接続するための接続部を備え、遊技の進行に応じて変化する遊技データを生成する遊技機であって、
遊技データの変化量を特定する特定手段と、
前記変化量を特定可能な更新情報を前記遊技用装置へ送信可能な情報送信手段と、
遊技データを記憶する記憶手段と、
前記記憶手段が記憶している遊技データを前記変化量に応じて更新する更新手段と、
前記遊技用装置と通信が不能な通信不能状態の発生したときから前記通信不能状態より復旧するまでの間において、前記特定手段により特定された遊技データの変化量を累積して記憶する通信不能時累積記憶手段と、
遊技が行なわれないようにするための所定情報を前記遊技用装置から受信した場合に遊技を禁止状態にする遊技禁止手段とを含み、
前記情報送信手段は、前記通信不能時累積記憶手段に記憶されている遊技データの累積変化量を特定可能な累積更新情報を前記遊技用装置へ送信し、
前記遊技用装置が記憶している遊技データと前記記憶手段が記憶している遊技データとが不整合のときに前記遊技用装置が所定の不整合発生時処理を実行可能なように、前記記憶手段が記憶している遊技データを前記遊技用装置へ送信する、遊技機。
【手続補正２】
【補正対象書類名】明細書
【補正対象項目名】００１２
【補正方法】変更
【補正の内容】
【００１２】
（１）  遊技者所有の遊技用価値（プリペイド残高、持玉あるいは貯玉）を使用して遊技を可能にする遊技用装置（カードユニット３）と通信可能に接続するための接続部（コネクタ２０）を備え、遊技の進行に応じて変化する遊技データ（加算玉数、減算玉数、始動口１回数および始動口２回数）を生成する遊技機（パチンコ機２）であって、
遊技データの変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信可能な情報送信手段（玉数制御基板１７）と、
遊技データを記憶する記憶手段と、
前記記憶手段が記憶している遊技データを前記変化量に応じて更新する更新手段と、
前記遊技用装置と通信が不能な通信不能状態の発生したときから前記通信不能状態より復旧するまでの間において、前記特定手段により特定された遊技データの変化量を累積して記憶する通信不能時累積記憶手段（図３９〜図４６；ＣＵの電源断の直前に送信した動作応答の送信後からＣＵが起動してリカバリ処理が行なわれるまでの間における加算玉数、減算玉数、始動口１回数、始動口２回数および遊技球数を現在玉数として記憶する、加算玉数カウンタ、減算玉数カウンタ、始動口１回数カウンタ、始動口２回数カウンタおよび遊技球数カウンタ、ならびに前回玉数の各データ）と、
遊技が行なわれないようにするための所定情報を前記遊技用装置から受信した場合に遊技を禁止状態にする遊技禁止手段とを含み、
前記情報送信手段は、前記通信不能時累積記憶手段に記憶されている遊技データの累積変化量を特定可能な累積更新情報を前記遊技用装置へ送信（図３９〜図４６；ＣＵの電源断の直前に送信した動作応答の送信後からＣＵが起動してリカバリ処理が行なわれるまでの間における加算玉数、減算玉数、始動口１回数、始動口２回数および遊技球数を含むリカバリデータをリカバリ応答として送信）し、
前記遊技用装置が記憶している遊技データと前記記憶手段が記憶している遊技データとが不整合のときに前記遊技用装置が所定の不整合発生時処理を実行可能なように、前記記憶手段が記憶している遊技データを前記遊技用装置へ送信する。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
映像を表示可能な映像表示装置の周囲を装飾する中央飾り部と、
前記中央飾り部に設けられ、発光する中央飾り発光部と、
遊技領域を視認可能とする窓部が形成され、前記遊技領域の前方に配置された装飾枠の該窓部周囲に設けられた装飾枠発光部と、
前記装飾枠の遊技者側前方に配置されるとともに遊技媒体を貯留する貯留皿に設けられた皿枠発光部及び遊技者による操作が可能な操作部と、
前記中央飾り部と前記貯留皿との間に設けられ、発光部を有する入賞口ユニットと、
遊技者による前記操作部に対する操作に応じて、少なくとも前記装飾枠発光部、前記中央飾り発光部、前記入賞口ユニット、及び前記皿枠発光部のうちのいずれかの発光演出を行う発光制御部と、を有する遊技機。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
遊技制御手段と、
前記遊技制御手段から送信されるメインコマンドにもとづいて演出に関する制御を行う第１の演出制御手段と、
前記第１の演出制御手段から送信されるサブコマンドにもとづいて演出に関する制御を行う第２の演出制御手段とを備え、
前記メインコマンドと、前記サブコマンドは送信速度が異なり、
前記遊技機はさらに、
導出表示される候補の画像と所定演出を示唆する所定演出示唆画像とが表示される特別演出を含み、
前記特別演出が実行された後、導出表示される前に前記所定演出を実行する所定演出実行手段をさらに備え、
前記所定演出実行手段により前記所定演出が実行されてから前記有利状態に制御されたときと、前記特別演出が実行された後前記所定演出が実行されずに前記有利状態に制御されたときとで、付与される価値が異なる
ことを特徴とする遊技機。
【手続補正２】
【補正対象書類名】明細書
【補正対象項目名】０００９
【補正方法】変更
【補正の内容】
【０００９】
しかし、興味がなくなってしまうことにつながる。
【手続補正３】
【補正対象書類名】明細書
【補正対象項目名】００１０
【補正方法】変更
【補正の内容】
【００１０】
そこで、本発明は、より遊技者に注目させることができるようにすることを目的とする。
【手続補正４】
【補正対象書類名】明細書
【補正対象項目名】００１１
【補正方法】変更
【補正の内容】
【００１１】
（１）本発明による遊技機は、可変表示を行い、遊技者にとって有利な有利状態（例えば、大当り遊技状態）に制御する遊技機であって、遊技制御手段（遊技制御用マイクロコンピュータ５６０）と、前記遊技制御手段から送信されるメインコマンドにもとづいて演出に関する制御を行う第1の演出制御手段（演出制御用マイクロコンピュータ１００）と、前記第１の演出制御手段から送信されるサブコマンドにもとづいて演出に関する制御を行う第２の演出制御手段（演出制御用マイクロコンピュータ１００ｂ）とを備え、前記メインコマンドと、前記サブコマンドは送信速度が異なり、前記遊技機はさらに、導出表示される候補の画像（例えば、左右の停止図柄と同じ図柄と、左右の停止図柄よりも数字が１つ多い図柄：図４０（Ｃ）参照）と所定演出を示唆する所定演出示唆画像（例えば、キャラクタ図柄９ｂ，９ｃ：図４０（Ｃ）参照）とが表示される特別演出を含み（例えば、図４０（Ｃ）に示す演出）、特別演出が実行された後、導出表示される前に所定演出を実行する所定演出実行手段（例えば、演出制御用マイクロコンピュータ１００において、ステップＳ８２５の処理の結果にもとづいてステップＳ８３１〜Ｓ８３３，Ｓ８４１〜Ｓ８４３の処理を実行する部分）をさらに備え、所定演出実行手段により所定演出が実行されてから有利状態に制御されたときと、特別演出が実行された後所定演出が実行されずに有利状態に制御されたときとで、付与される価値が異なる（例えば、図４４，図４５に示すように、通常大当りの場合と確変大当りの場合とで所定演出の実行割合を変えることによって実現される）ことを特徴とする。
そのような構成によれば、より遊技者を注目させることができる。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
2つの導電性の交差しない表面、および2つの電極またはトロイドなどの位相変調器を含む装置であって、該2つの導電性の交差しない表面および位相変調器はDC電源およびAC電源に操作可能に連結され、
a. それぞれの表面が、遠位端、近位端、該遠位端と近位端を結ぶ経路に沿って方向付けられる縦軸、および該縦軸に対して垂直な緯線軸を有し；
b. 表面が、互いに空間的に向かい合い；
c. 緯線軸が好ましくは平行であり；
d. 縦軸が好ましくは平行でなく；
e. 縦軸が好ましくは直線であり、かつ表面が好ましくは平面であり；
f. 表面の近位端の間の距離が、好ましくは表面の遠位端の間の距離よりも狭く；
g. それぞれの電極が、表面の近位端の近位に配置され；
h. DC電源およびAC電源の正端子が、表面に連結され、かつDC電源およびAC電源の負端子が、位相変調器に連結される、装置。
【請求項２】
導電性表面が、銅またはテーラリングされた物質である、請求項１記載の装置。
【請求項３】
テーラリングされた物質が、少なくとも1つの表面上に重ねられる、請求項１記載の装置。
【請求項４】
AC周波数がAC電源により適用される、請求項１記載の装置。
【請求項５】
近位表面の間の距離が、約20cm未満、好ましくは約10cm未満、例えば5cm未満である、請求項１記載の装置。
【請求項６】
遠位表面の間の距離が、約25cm未満、好ましくは約15cm未満、例えば10cm未満である、請求項１記載の装置。
【請求項７】
導電性金属の複数のワイヤーリングおよびそれぞれのワイヤーリングに操作可能に連結された少なくとも1つの電力源を含む装置をさらに含み、少なくとも1つ、好ましくは2つのワイヤーリングに電力を供給する(power)ためにAC電力が使用され、少なくとも1つのワイヤーリングに電力を供給するためにDC電力が使用される、請求項１記載の装置。
【請求項８】
a. 交流源もしくは直流源、または直流が重ね合わされた交流に操作可能に連結されたトロイド形状の導電性コイル；
b. トロイド軸にまたはトロイド軸の近位に配置された細長い導電性物質で構成される励磁機、ここで該励磁機は交流、直流または直流が重ね合わされた交流に操作可能に連結される、
を含み、
c. 導電性物質で作製されたプレートである集電器
を任意に含む、装置。
【請求項９】
該導電性(conducing)コイルが銅で作製される、請求項８記載の装置。
【請求項１０】
該導電性コイルがテーラリングされた物質で作製される、請求項８記載の装置。
【請求項１１】
該励磁機が銅で作製される、請求項８記載の装置。
【請求項１２】
該励磁機がテーラリングされた物質で作製される、請求項８記載の装置。
【請求項１３】
励磁機の近位端がトロイドの近くに配置される、請求項１２記載の装置。
【請求項１４】
銅で作製される、請求項１２記載の装置。
【請求項１５】
該集電器が、該励磁機の近位側面に対して反対側に配置される、請求項８〜１４いずれか記載の装置。
【請求項１６】
該集電器が凹側面を有する、請求項１５記載の装置。
【請求項１７】
該凹側面が励磁機の近位側面に向かい合う、請求項１６記載の装置。
【請求項１８】
導電性金属の複数のワイヤーリングおよびそれぞれのワイヤーリングに操作可能に連結された少なくとも1つの電力源を含む装置をさらに含み、少なくとも1つ、好ましくは2つのワイヤーリングに電力を供給する(power)ためにAC電力が使用され、少なくとも1つのワイヤーリングに電力を供給するためにDC電力が使用される、請求項８記載の装置。
【請求項１９】
導電性金属の複数のワイヤーリングおよびそれぞれのワイヤーリングに操作可能に連結された少なくとも1つの電力源を含む装置ならびに1つ以上の放射線源を含み、少なくとも1つ、好ましくは2つのワイヤーリングに電力を供給する(power)ためにAC電力が使用され、少なくとも1つのワイヤーリングに電力を供給するためにDC電力が使用され、それぞれの放射線源が、ショートアークランプ、高強度放電ランプ、ペンシルランプ、レーザー、発光ダイオード、白熱灯、蛍光灯、赤外線ランプ、紫外線ランプ、長波紫外線ランプおよび短波紫外線ランプおよび/またはハロゲンランプからなる群より選択される、テーラリング装置。
【請求項２０】
少なくとも1つの放射線源がペンシルランプである、請求項１９記載の装置。
【請求項２１】
少なくとも1つの放射線源が、高強度放電ランプである、請求項１９記載の装置。
【請求項２２】
少なくとも1つの放射線源が、ショートアークランプである、請求項１９記載の装置。
【請求項２３】
複数の異なるペンシルランプが使用される、請求項１９記載の装置。
【請求項２４】
円柱形に画定された空間の中心軸に沿って配置される半透明の気体導管をさらに含む、請求項１９記載の装置。
【請求項２５】
気体供給源、好ましくは水素供給源、不活性ガス供給源または希ガス供給源およびそれらの混合物をさらに含む、請求項１９記載の装置。
【請求項２６】
複数のペンシルランプが、円柱形に画定された空間の外側に配置され、導管に向かって方向付けられる、請求項１９記載の装置。
【請求項２７】
(1)1つ以上のリングおよび/または請求項１９〜２６いずれか記載の装置の表面にある順序で電力および/または周波数発生器を適用する工程、ならびに(2)放射線源の1つ以上にある順序で電力を適用する工程を含む、請求項１９〜２６いずれか記載の装置内で物質の電子構造を改変する方法。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
内部に封入された遊技媒体を用いて遊技を行なう封入式遊技機であって、
遊技に使用された遊技媒体を回収して再び遊技に使用可能な位置にまで循環させるための循環経路と、
遊技に使用され、前記循環経路に回収された遊技媒体を検出する個数検出手段と、
封入された遊技媒体が超過状態にあることを検出する検出手段と、
遊技に使用可能な位置にある遊技媒体を発射して遊技に使用するための発射手段と、
該発射手段により発射された遊技媒体の個数を計数する発射個数計数手段と、
該発射個数計数手段により計数された遊技媒体の個数と前記個数検出手段により検出された遊技媒体の個数との差を監視する監視手段とを備える、封入式遊技機。
【請求項２】
内部に封入された遊技媒体を用いて遊技を行なう封入式遊技機の遊技枠であって、
遊技に使用された遊技媒体を回収して再び遊技に使用可能な位置にまで循環させるための循環経路と、
遊技に使用され、前記循環経路に回収された遊技媒体を検出する個数検出手段と、
封入された遊技媒体が超過状態にあることを検出する検出手段と、
遊技に使用可能な位置にある遊技媒体を発射して遊技に使用するための発射手段と、
該発射手段により発射された遊技媒体の個数を計数する発射個数計数手段と、
該発射個数計数手段により計数された遊技媒体の個数と前記個数検出手段により検出された遊技媒体の個数との差を監視する監視手段とを備える、遊技枠。
【手続補正２】
【補正対象書類名】明細書
【補正対象項目名】０００８
【補正方法】変更
【補正の内容】
【０００８】
（１）  内部に封入された遊技媒体（パチンコ玉）を用いて遊技を行なう封入式遊技機（パチンコ機２）であって、
遊技に使用された遊技媒体を回収して再び遊技に使用可能な位置（発射位置）にまで循環させるための循環経路（図２参照）と、
遊技に使用され、前記循環経路に回収された遊技媒体を検出する個数検出手段（発射玉検出スイッチ９０３）と、
封入された遊技媒体が超過状態にあることを検出する検出手段（発射玉検出スイッチ９０３は、パチンコ機２に内蔵された封入玉の個数が規定数（５０個）を超過していることの検出にも兼用されている）と、
遊技に使用可能な位置にある遊技媒体を発射して遊技に使用するための発射手段と、
該発射手段により発射された遊技媒体の個数を計数する発射個数計数手段と、
該発射個数計数手段により計数された遊技媒体の個数と前記個数検出手段により検出された遊技媒体の個数との差を監視する監視手段とを備える。
【手続補正３】
【補正対象書類名】明細書
【補正対象項目名】００１４
【補正方法】変更
【補正の内容】
【００１４】
（４）  内部に封入された遊技媒体を用いて遊技を行なう封入式遊技機の遊技枠（例えば、前枠など）であって、
遊技に使用された遊技媒体を回収して再び遊技に使用可能な位置にまで循環させるための循環経路と、
遊技に使用され、前記循環経路に回収された遊技媒体を検出する個数検出手段と、
封入された遊技媒体が超過状態にあることを検出する検出手段と、
遊技に使用可能な位置にある遊技媒体を発射して遊技に使用するための発射手段と、
該発射手段により発射された遊技媒体の個数を計数する発射個数計数手段と、
該発射個数計数手段により計数された遊技媒体の個数と前記個数検出手段により検出された遊技媒体の個数との差を監視する監視手段とを備える。
【手続補正書】
【提出日】平成28年3月14日(2016.3.14)
【手続補正１】
【補正対象書類名】明細書
【補正対象項目名】００４０
【補正方法】変更
【補正の内容】
【００４０】
具体的には、表示制御部１３は、検知部１４により検出された呼気期間から吸気期間への移行のタイミングで、チャート表示領域１０ａを左右方向に並ぶサブ領域１０ａ１、１０ａ２に分割する。そして表示制御部１３は、第１呼吸周期の呼気期間に対応するＣＶ曲線２１ａを左側のサブ領域１０ａ１に表示し、第１呼吸周期の吸気期間に対応するＣＶ曲線２１ｂを右側のサブ領域１０ａ２に表示する。ＣＶ曲線２１ｂは、ＣＶ曲線２１ａの右側において隣接する。
【手続補正２】
【補正対象書類名】明細書
【補正対象項目名】００４１
【補正方法】変更
【補正の内容】
【００４１】
したがって、左側のサブ領域１０ａ１においては換気量の値が右側に向かって増加するのに対し、右側のサブ領域１０ａ２においては換気量の値が右側に向かって減少する。左側のサブ領域１０ａ１における横軸が呼気量を示すものととらえ、右側のサブ領域１０ａ２における横軸が吸気量を示す。なお換気量の値は呼吸周期毎に異なるため、横軸の長さは呼吸周期毎に変化する。
【手続補正３】
【補正対象書類名】明細書
【補正対象項目名】００４２
【補正方法】変更
【補正の内容】
【００４２】
同様に、表示制御部１３は、検知部１４により検出された呼気期間から吸気期間への移行のタイミングで、チャート表示領域１０ｂを左右方向に並ぶサブ領域１０ｂ１、１０ｂ２に分割する。そして表示制御部１３は、第２呼吸周期の呼気期間に対応するＣＶ曲線２２ａを左側のサブ領域１０ｂ１に表示し、第２呼吸周期の吸気期間に対応するＣＶ曲線２２ｂを右側のサブ領域１０ｂ２に表示する。ＣＶ曲線２２ａは、ＣＶ曲線２１ｂの右側において隣接し、ＣＶ曲線２２ｂは、ＣＶ曲線２２ａの右側において隣接する。
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
左車輪を駆動する第１電動機と、前記第１電動機と前記左車輪との動力伝達経路上に設けられた第１変速機と、を有する左車輪駆動装置と、右車輪を駆動する第２電動機と、前記第２電動機と前記右車輪との動力伝達経路上に設けられた第２変速機と、を有する右車輪駆動装置と、前記第１電動機と前記第２電動機とを制御する制御手段と、を備える電動車両であって、
前記第１及び第２変速機は、それぞれ第１乃至第３回転要素を有し、
前記第１変速機の前記第１回転要素に前記第１電動機が接続され、
前記第２変速機の前記第１回転要素に前記第２電動機が接続され、
前記第１変速機の前記第２回転要素に前記左車輪が接続され、
前記第２変速機の前記第２回転要素に前記右車輪が接続され、
前記第１変速機の前記第３回転要素と前記第２変速機の前記第３回転要素とが互いに連結され、
前記電動車両は、解放及び締結可能とされ、締結することにより前記第３回転要素の回転を規制する回転規制手段をさらに備え、
前記制御手段は、前記第３回転要素の回転状態を取得する第３回転要素回転状態取得手段と、
前記第３回転要素回転状態取得手段が、前記回転規制手段が解放されて前記第３回転要素が回転自由状態であることを取得したときに、前記第１電動機及び前記第２電動機のトルクを所定の制限トルク内となるよう制御する第１制限手段と、前記第１制限手段と別個に設けられ、前記第１電動機及び前記第２電動機のトルクを所定の制限トルク内となるよう制御する第２制限手段と、を有することを特徴とする電動車両。
【請求項２】
前記制御手段は、前記回転規制手段を解放及び締結に切り替える状態切替手段をさらに有し、
該状態切替手段は、前記電動車両の車速に相関のある車速相関量に基づいて前記回転規制手段の解放及び締結を切り替え、
前記第１制限手段は、前記車速相関量を取得する第１車速取得手段によって前記回転自由状態を取得し、
前記第２制限手段は、前記第１車速取得手段と別個に設けられ、前記車速相関量を取得する第２車速取得手段によって前記回転自由状態を取得することを特徴とする請求項１に記載の電動車両。
【請求項３】
前記左車輪及び前記右車輪を、前記電動車両の前輪と後輪の何れか一方輪の左車輪及び右車輪とし、前記電動車両の前輪と後輪の他方を他方輪としたとき、
前記電動車両は、前記他方輪を駆動する他の駆動装置を備え、
前記第１車速取得手段は、前記他の駆動装置の回転状態量に基づいて前記車速相関量を取得し、
前記第２車速取得手段は、前記一方輪の回転状態量に基づいて前記車速相関量を取得することを特徴とする請求項２に記載の電動車両。
【請求項４】
前記第２制限手段は、前記制御手段の回路上で、信号の流れ方向において最も前記第１及び前記第２電動機に近接して配置されることを特徴とする請求項１〜３のいずれか１項に記載の電動車両。
【請求項５】
前記第２制限手段は、前記第１及び第２電動機の制御信号を出力し、
前記第１制限手段は、前記第２制限手段と通信可能であって、
前記第２制限手段は、前記第２制限手段で取得した制限トルクと前記第１制限手段から送信された制限トルクとを比較し、前記第１制限手段の制限トルクと前記第２制限手段の制限トルクとが異なる場合に、小さい方の制限トルクに基づいて前記第１及び第２電動機を制御することを特徴とする請求項２又は３に記載の電動車両。
【請求項６】
車輪と、
該車輪を駆動する駆動源と、
該駆動源を制御する制御手段と、
該駆動源と前記車輪との動力伝達経路上に、解放及び締結可能とされ前記動力伝達経路を遮断状態及び接続状態に切り替える断接手段と、を備える電動車両であって、
前記断接手段が解放されて前記動力伝達経路が遮断状態のときに、前記断接手段よりも前記駆動源側である上流側の回転状態量を取得する上流側回転状態取得手段と、
前記断接手段よりも前記車輪側である下流側の回転状態量を取得する下流側回転状態取得手段と、をさらに備え、
前記制御手段は、前記遮断状態のときに、前記下流側回転状態取得手段が取得した下流側の回転状態量のみに基づいて、前記駆動源の発生するトルクを制御することを特徴とする電動車両。
【請求項７】
前記制御手段は、前記遮断状態のときに、前記下流側回転状態取得手段が取得した下流側の回転状態量のみに基づいて、前記駆動源の発生するトルクを制限することを特徴とする請求項６に記載の電動車両。
【手続補正２】
【補正対象書類名】明細書
【補正対象項目名】００１０
【補正方法】変更
【補正の内容】
【００１０】
上記の目的を達成するために、請求項１に記載の発明は、
左車輪（例えば、後述の実施形態の左後輪ＬＷｒ）を駆動する第１電動機（例えば、後述の実施形態の第１電動機２Ａ）と、前記第１電動機と前記左車輪との動力伝達経路上に設けられた第１変速機（例えば、後述の実施形態の第１遊星歯車式減速機１２Ａ）と、を有する左車輪駆動装置と、右車輪（例えば、後述の実施形態の右後輪ＲＷｒ）を駆動する第２電動機（例えば、後述の実施形態の第２電動機２Ｂ）と、前記第２電動機と前記右車輪との動力伝達経路上に設けられた第２変速機（例えば、後述の実施形態の第２遊星歯車式減速機１２Ｂ）と、を有する右車輪駆動装置と、前記第１電動機と前記第２電動機とを制御する制御手段（例えば、後述の実施形態の制御システム１００）と、を備える電動車両（例えば、後述の実施形態の車両３）であって、
前記第１及び第２変速機は、それぞれ第１乃至第３回転要素を有し、
前記第１変速機の前記第１回転要素（例えば、後述の実施形態のサンギヤ２１Ａ）に前記第１電動機が接続され、
前記第２変速機の前記第１回転要素（例えば、後述の実施形態のサンギヤ２１Ｂ）に前記第２電動機が接続され、
前記第１変速機の前記第２回転要素（例えば、後述の実施形態のプラネタリキャリア２３Ａ）に前記左車輪が接続され、
前記第２変速機の前記第２回転要素（例えば、後述の実施形態のプラネタリキャリア２３Ｂ）に前記右車輪が接続され、
前記第１変速機の前記第３回転要素（例えば、後述の実施形態のリングギヤ２４Ａ）と前記第２変速機の前記第３回転要素（例えば、後述の実施形態のリングギヤ２４Ｂ）とが互いに連結され、
前記電動車両は、解放及び締結可能とされ、締結することにより前記第３回転要素の回転を規制する回転規制手段（例えば、後述の実施形態の油圧ブレーキ６０Ａ、６０Ｂ、一方向クラッチ５０）をさらに備え、
前記制御手段は、前記第３回転要素の回転状態を取得する第３回転要素回転状態取得手段（例えば、後述の実施形態のリングギヤ回転状態取得部９１、９５）と、
前記第３回転要素回転状態取得手段が、前記回転規制手段が解放されて前記第３回転要素が回転自由状態（例えば、後述の実施形態のリングフリー状態）であることを取得したときに、前記第１電動機及び前記第２電動機のトルクを所定の制限トルク（例えば、後述の実施形態の第１リングフリー制限トルク）内となるよう制御する第１制限手段（例えば、後述の実施形態の第１制限部９７）と、
前記第１制限手段と別個に設けられ、前記第１電動機及び前記第２電動機のトルクを所定の制限トルク（例えば、後述の実施形態の第２リングフリー制限トルク）内となるよう制御する第２制限手段（例えば、後述の実施形態の第２制限部９３）と、を有することを特徴とする。
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
第１識別情報および第２識別情報の可変表示を行い、遊技者にとって有利な特定状態に制御可能な遊技機であって、
遊技の進行を制御する遊技制御手段と、
前記遊技制御手段から送信されるコマンドにもとづいて、第１識別情報の可変表示と第２識別情報の可変表示とに対応した演出識別情報の可変表示を実行可能な演出制御手段と、
未だ開始されていない可変表示を、上限数を限度に保留記憶として記憶する保留記憶手段と、
遊技機への電力供給が停止した後、電力供給が停止される前の状態に復旧したときに、その旨を報知可能な報知手段とを備え、
前記遊技制御手段は、
前記特定状態に制御するか否かを決定する決定手段と、
前記決定手段の決定結果にもとづいて、演出識別情報の可変表示パターンを、複数種類の可変表示パターンのうちから決定する可変表示パターン決定手段と、
有利条件が成立したときに、可変表示を所定回数実行するまで、非有利状態と比較して少なくとも第２識別情報の可変表示が実行されやすい有利状態に制御する有利状態制御手段とを含み、
前記可変表示パターン決定手段は、前記有利状態に制御されているか否かに応じて、異なる割合により可変表示パターンを決定し、
前記決定手段の決定より前に前記特定状態に制御されるか否かを判定する判定手段と、
前記判定手段の判定結果にもとづいて、特定予告を実行する特定予告実行手段とを備え、
前記特定予告実行手段は、
前記有利状態が終了した後の前記非有利状態において実行された可変表示の実行回数が前記保留記憶手段によって記憶可能な上限数となるまでの期間において、前記特定予告の実行を制限し、
前記特定状態中および前記有利状態中において、第１識別情報の可変表示に対する前記特定予告を実行しない
ことを特徴とする遊技機。
【手続補正２】
【補正対象書類名】明細書
【補正対象項目名】０００１
【補正方法】変更
【補正の内容】
【０００１】
本発明は、第１識別情報および第２識別情報の可変表示を行い、遊技者にとって有利な特定状態に制御可能なパチンコ機やスロット機、パロット機などの遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
【特許文献１】特開２００４−１２９９８４号公報
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、遊技者の期待感を損なうことなく予告を行うことができる遊技機を提供することを目的とする。
【手続補正７】
【補正対象書類名】明細書
【補正対象項目名】００１０
【補正方法】変更
【補正の内容】
【００１０】
本発明による遊技機は、第１識別情報および第２識別情報（例えば、第１特別図柄、第２特別図柄）の可変表示を行い、遊技者にとって有利な特定状態（例えば、大当り遊技状態）に制御可能な遊技機であって、遊技の進行を制御する遊技制御手段と、遊技制御手段から送信されるコマンドにもとづいて、第１識別情報の可変表示と第２識別情報の可変表示とに対応した演出識別情報の可変表示を実行可能な演出制御手段と、未だ開始されていない可変表示を、上限数を限度に保留記憶として記憶する保留記憶手段と、遊技機への電力供給が停止した後、電力供給が停止される前の状態に復旧したときに、その旨を報知可能な報知手段とを備え、遊技制御手段は、特定状態に制御するか否かを決定する決定手段と、決定手段の決定結果にもとづいて、演出識別情報の可変表示パターンを、複数種類の可変表示パターンのうちから決定する可変表示パターン決定手段と、有利条件が成立したときに、可変表示を所定回数実行するまで、非有利状態と比較して少なくとも第２識別情報の可変表示が実行されやすい有利状態に制御する有利状態制御手段とを含み、可変表示パターン決定手段は、有利状態に制御されているか否かに応じて、異なる割合により可変表示パターンを決定し、決定手段の決定より前に特定状態に制御されるか否かを判定する判定手段と、判定手段の判定結果にもとづいて、特定予告を実行する特定予告実行手段とを備え、特定予告実行手段は、有利状態が終了した後の非有利状態において実行された可変表示の実行回数が保留記憶手段によって記憶可能な上限数となるまでの期間において、特定予告の実行を制限し、特定状態中および有利状態中において、第１識別情報の可変表示に対する特定予告を実行せず、特定状態に制御される割合が異なる複数種類の特定予告を実行可能であることを特徴とする。そのような構成により、遊技者の期待感を損なうことなく予告を行うことができる。
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
用紙を搬送する第１のローラー対と、
前記第１のローラー対よりも用紙進行方向の上流側に設けられ、前記用紙を前記第１のローラー対に突き当てることでループを形成する第２のローラー対と、
前記第２のローラー対により形成された前記用紙のループにおいて側面側のループ形状を示す画像を取得する撮像部と、
前記撮像部により取得された前記画像に基づいて前記用紙のループ形状を調整する制御部と、
を備えることを特徴とする画像形成装置。
【請求項２】
前記第２のローラー対を回転駆動する駆動部を備え、
前記制御部は、前記撮像部により取得された前記画像と設定された基準情報との比較結果に基づいて前記画像のループ形状が異常ループ形状であると判断した場合、前記駆動部を制御して前記第２のローラー対の回転速度を制御する
ことを特徴とする請求項１に記載の画像形成装置。
【請求項３】
前記第２のローラー対の加圧力を調整する加圧部を備え、
前記制御部は、前記撮像部により取得された前記画像のループ形状が異常ループ形状ではなくかつ基準となる適正ループ形状よりも小さくなる場合、前記加圧部を制御して前記第２のローラー対の加圧力を増加させる
ことを特徴とする請求項１または２に記載の画像形成装置。
【請求項４】
前記第２のローラー対を回転駆動する駆動部を備え、
前記制御部は、前記撮像部により取得された前記画像のループ形状が異常ループ形状ではなくかつ基準となる適正ループ形状よりも小さくなる場合、前記駆動部を制御して前記第２のローラー対の速度を減速させる
ことを特徴とする請求項１に記載の画像形成装置。
【請求項５】
前記制御部は、前記第２のローラー対の加圧制御または速度制御を行うことができない場合であってかつ用紙のループが形成されていない場合、前記第２のローラー対の清掃を促す情報を報知する
ことを特徴とする請求項３または４に記載の画像形成装置。
【請求項６】
前記制御部は、前記第２のローラー対の加圧制御または速度制御を行うことができない場合、次用紙のループ形状を示す画像を取得し、取得した前記次用紙のループ形状が適正ループ形状に戻っているか否かを判断する
ことを特徴とする請求項３または４に記載の画像形成装置。
【請求項７】
前記第２のローラー対を回転駆動する駆動部を備え、
前記制御部は、前記撮像部により取得された前記画像のループ形状が異常ループ形状ではなくかつ基準となる適正ループ形状よりも大きくなる場合、前記駆動部を制御して前記第２のローラー対の回転速度を制御する
ことを特徴とする請求項１に記載の画像形成装置。
【請求項８】
前記撮像部は、用紙の用紙進行方向に直交する幅方向の一方側に設けられている
ことを特徴とする請求項１〜７の何れか一項に記載の画像形成装置。
【手続補正書】
【提出日】平成28年2月24日(2016.2.24)
【手続補正１】
【補正対象書類名】明細書
【補正対象項目名】００２７
【補正方法】変更
【補正の内容】
【００２７】
かかる非油展の高エチレンＥＰＤＭとしては、これに限定されないが例えば住友化学(株)製のエスプレン（登録商標）５０２〔エチレン含量：５６質量％、ジエン含量：４．０質量％〕、３０１〔エチレン含量：６２質量％、ジエン含量：３．０質量％〕、５１２Ｆ〔エチレン含量：６５質量％、ジエン含量：４．０質量％〕、５８６〔エチレン含量：６６質量％、ジエン含量：１２．５質量％〕、ダウ・ケミカル社製のＮＯＲＤＥＬ（ノーデル、登録商標）ＩＰ３７２０Ｐ〔エチレン含量：７０質量％、ジエン含量：０．６質量％〕、ＩＰ３７２２Ｐ〔エチレン含量：７１質量％、ジエン含量：０．５質量％〕、ＩＰ３７４５Ｐ〔エチレン含量：７０質量％、ジエン含量：０．５質量％〕、ＩＰ３７６０Ｐ〔エチレン含量：６７質量％、ジエン含量：２．２質量％〕、ＩＰ４７２５Ｐ〔エチレン含量：７０質量％、ジエン含量：４．９質量％〕、ＩＰ４７６０Ｐ〔エチレン含量：６７質量％、ジエン含量：４．９質量％〕、ＩＰ４７７０Ｒ〔エチレン含量：７０質量％、ジエン含量：４．９質量％〕、ＩＰ４７７０Ｐ〔エチレン含量：７０質量％、ジエン含量：４．９質量％〕、ＩＰ４７８５ＨＭ〔エチレン含量：６８質量％、ジエン含量：４．９質量％〕、ＩＰ４８２０Ｐ〔エチレン含量：８５質量％、ジエン含量：４．９質量％〕等の１種または２種以上が挙げられる。
【手続補正２】
【補正対象書類名】明細書
【補正対象項目名】００５１
【補正方法】変更
【補正の内容】
【００５１】
Ｎ−シクロへキシル−２−ベンゾチアジルスルフェンアミド（ＣＺ）、Ｎ，Ｎ−ジシクロヘキシル−２−ベンゾチアゾリルスルフェンアミド（ＤＺ−Ｇ）、Ｎ−オキシジエチレン−２−ベンゾチアゾリルスルフェンアミド（ＭＳＡ）、Ｎ−ｔｅｒｔ−ブチル−２−ベンゾチアゾリルスルフェンアミド（ＮＳ）等のスルフェンアミド系促進剤。
テトラメチルチウラムジスルフィド（ＴＴ）、テトラエチルチウラムジスルフィド（ＴＥＴ）、テトラブチルチウラムジスルフィド（ＴＢＴ）、テトラキス（２−エチルヘキシル）チウラムジスルフィド（ＴＯＴ−Ｎ）、テトラメチルチウラムモノスルフィド（ＴＳ）、ジペンタメチレンチウラムテトラスルフィド（ＴＲＡ）等のチウラム系促進剤。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
チョクラルスキー法によりチャンバ内に配置したルツボ内の原料融液からシリコン単結晶を引き上げて育成する方法であって、
育成中の単結晶を囲繞する水冷体を配置するとともに、この水冷体の外周面および下端面を包囲する熱遮蔽体を配置した単結晶育成装置を用い、
総合伝熱解析により、単結晶の面内応力分布であって、単結晶の中心部、周縁部、および中心部と周縁部との間を含む位置における面内応力分布を算出し、
前記応力分布を考慮した無欠陥結晶を育成するのに最適な単結晶の面内温度勾配分布を算出し、
前記最適な温度勾配分布と実際の単結晶の面内温度勾配との差異を所定の範囲内に設定し、
単結晶の引き上げをおこなう、シリコン単結晶の育成方法。
【請求項２】
総合伝熱解析により、単結晶中心部の温度勾配または単結晶中心部の応力、ならびに前記熱遮蔽体の下端部と前記原料融液の液面との間隔から、前記最適な単結晶の面内温度勾配分布を算出する、請求項１に記載のシリコン単結晶の育成方法。
【請求項３】
半径がＲmax（ｍｍ）の単結晶の育成時に、単結晶の固液界面近傍にて、単結晶の中心から半径Ｒ（ｍｍ）の位置における実際の引き上げ軸方向の温度勾配をＧreal（Ｒ）、単結晶の中心から半径Ｒの位置における引き上げ軸方向の最適温度勾配をＧideal（Ｒ）とした場合、０＜Ｒ＜Ｒmax−３５（ｍｍ）の範囲で、下記（Ａ）式を満足する条件で単結晶の引き上げを行う、請求項１または２に記載のシリコン単結晶の育成方法。
｜Ｇreal（Ｒ）−Ｇideal（Ｒ）｜／Ｇreal（Ｒ）＜０．０８  …（Ａ）
上記（Ａ）式中、Ｇideal（Ｒ）は下記（ａ）式で表される。
Ｇideal（Ｒ）＝［（０．１７８９＋０．００１２×σmean（０））／（０．１７８９＋０．００１２×σmean（ｘ））］×Ｇreal（０）  …（ａ）
上記（ａ）式中、ｘ＝Ｒ／Ｒmaxであり、σmean（０）およびσmean（ｘ）は、それぞれ下記（ｂ）式および（ｃ）式で表される。
σmean（０）＝−ｂ1×Ｇreal（０）＋ｂ2  …（ｂ）
σmean（ｘ）＝［ｎ（ｘ）×（σmean（０）−σmean（０．７５））−（Ｎ×σmean（０）−σmean（０．７５））］／（１−Ｎ）  …（ｃ）
上記（ｃ）式中、Ｎ＝０．３０８２７であり、σmean（０．７５）およびｎ（ｘ）は、それぞれ下記（ｄ）式および（ｅ）式で表される。
σmean（０．７５）＝ｄ1×ＧＡＰ−ｄ2  …（ｄ）
ｎ（ｘ）＝０．９５９ｘ3−２．００１４ｘ2＋０．０３９３ｘ＋１  …（ｅ）
上記（ｄ）式中、ＧＡＰは前記熱遮蔽体の下端と前記原料融液の液面との間隔（ｍｍ）である。
【請求項４】
下記（Ｂ）式を満足する条件で単結晶の引き上げを行うことを特徴とする請求項３に記載のシリコン単結晶の育成方法。
｜Ｇreal（Ｒ）−Ｇideal（Ｒ）｜／Ｇreal（Ｒ）＜０．０５  …（Ｂ）
【請求項５】
直径が３００ｍｍの単結晶を育成する場合、上記（ｂ）式中、ｂ1＝１７．２、ｂ2＝４０．８、上記（ｄ）式中、ｄ1＝０．１０８、ｄ2＝１１．３である、請求項３または４に記載のシリコン単結晶の育成方法。
【請求項６】
直径が４５０ｍｍの単結晶を育成する場合、上記（ｂ）式中、ｂ1＝２７．５、ｂ2＝４４．７、上記（ｄ）式中、ｄ1＝０．０８１、ｄ2＝１１．２である、請求項３または４に記載のシリコン単結晶の育成方法。
【手続補正２】
【補正対象書類名】明細書
【補正対象項目名】００２０
【補正方法】変更
【補正の内容】
【００２０】
本発明は、上記の知見に基づいて完成させたものであり、その要旨は下記のシリコン単結晶の育成方法にある。すなわち、本発明のシリコン単結晶の育成方法は、
ＣＺ法によりチャンバ内に配置したルツボ内の原料融液からシリコン単結晶を引き上げて育成する方法であって、
育成中の単結晶を囲繞する水冷体を配置するとともに、この水冷体の外周面および下端面を包囲する熱遮蔽体を配置した単結晶育成装置を用い、
総合伝熱解析により、単結晶の面内応力分布であって、単結晶の中心部、周縁部、および中心部と周縁部との間を含む位置における面内応力分布を算出し、
前記応力分布を考慮した無欠陥結晶を育成するのに最適な単結晶の面内温度勾配分布を算出し、
前記最適な温度勾配分布と実際の単結晶の面内温度勾配との差異を所定の範囲内に設定し、
単結晶の引き上げをおこなうことを特徴とする。
上記の育成方法では、総合伝熱解析により、単結晶中心部の温度勾配または単結晶中心部の応力、ならびに前記熱遮蔽体の下端部と前記原料融液の液面との間隔から、前記最適な単結晶の面内温度勾配分布を算出することが好ましい。
上記の育成方法では、半径がＲmax（ｍｍ）の単結晶の育成時に、単結晶の固液界面近傍にて、単結晶の中心から半径Ｒ（ｍｍ）の位置における実際の引き上げ軸方向の温度勾配をＧreal（Ｒ）、単結晶の中心から半径Ｒの位置における引き上げ軸方向の最適温度勾配をＧideal（Ｒ）とした場合、０＜Ｒ＜Ｒmax−３５（ｍｍ）の範囲で、下記（Ａ）式を満足する条件で単結晶の引き上げを行うことが好ましい。
｜Ｇreal（Ｒ）−Ｇideal（Ｒ）｜／Ｇreal（Ｒ）＜０．０８  …（Ａ）
上記（Ａ）式中、Ｇideal（Ｒ）は下記（ａ）式で表される。
Ｇideal（Ｒ）＝［（０．１７８９＋０．００１２×σmean（０））／（０．１７８９＋０．００１２×σmean（ｘ））］×Ｇreal（０）  …（ａ）
上記（ａ）式中、ｘ＝Ｒ／Ｒmaxであり、σmean（０）およびσmean（ｘ）は、それぞれ下記（ｂ）式および（ｃ）式で表される。
σmean（０）＝−ｂ1×Ｇreal（０）＋ｂ2  …（ｂ）
σmean（ｘ）＝［ｎ（ｘ）×（σmean（０）−σmean（０．７５））−（Ｎ×σmean（０）−σmean（０．７５））］／（１−Ｎ）  …（ｃ）
上記（ｃ）式中、Ｎ＝０．３０８２７であり、σmean（０．７５）およびｎ（ｘ）は、それぞれ下記（ｄ）式および（ｅ）式で表される。
σmean（０．７５）＝ｄ1×ＧＡＰ−ｄ2  …（ｄ）
ｎ（ｘ）＝０．９５９ｘ3−２．００１４ｘ2＋０．０３９３ｘ＋１  …（ｅ）
上記（ｄ）式中、ＧＡＰは前記熱遮蔽体の下端と前記原料融液の液面との間隔（ｍｍ）である。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
乗りかごを駆動する電動機を制動するブレーキを制御するエレベーターの保守点検用ブレーキ制御装置において、
前記ブレーキは少なくとも２個設けられ、前記各ブレーキは保守点検時に前記ブレーキの制動動作を開放するブレーキコイルを有し、前記ブレーキコイルには、ブレーキ制御装置が接続されており、前記ブレーキ制御装置は、前記ブレーキのそれぞれに接続する常閉接点と、前記常閉接点に接続され前記ブレーキコイルを動作させるブレーキ安全回路と、前記ブレーキ安全回路に接続され前記安全回路が有する第１、第２の回路を切り替える接続部と、前記接続部に着脱可能に接続され前記接続部の切り替えを指示するブレーキ開放手段を備えたことを特徴とするエレベーターの保守点検用ブレーキ制御装置。
【請求項２】
前記ブレーキに制動力を付加するばね手段を設け、前記ブレーキコイルはこのばね手段に抗して前記ブレーキを開放することを特徴とする請求項１に記載のエレベーターの保守点検用ブレーキ制御装置。
【請求項３】
前記接続部にはバッテリーが接続されており、前記ブレーキ安全回路は時限接点を有し、前記時限接点と前記第１の回路及び前記第２の回路は並列に接続されており、前記ブレーキ開放手段は、前記ブレーキコイルに前記バッテリーからの電力供給をオン／オフするブレーキ開放スイッチと前記第１の回路と前記第２の回路とを切り替える切替えスイッチとを有することを特徴とする請求項２に記載のエレベーターの保守点検用ブレーキ制御装置。
【請求項４】
前記接続部は、前記切替えスイッチの切替え方向に応じて励磁される第１の励磁コイル及び第２の励磁コイルと、前記第１、第２の励磁コイルに並列に接続され前記時限接点を動作させる第３の励磁コイルを有し、前記第１の励磁コイルで駆動される常閉接点及び前記第２の励磁コイルで駆動される常開接点を直列接続して前記第１の回路を構成し、前記第１の励磁コイルで駆動される常開接点及び前記第２の励磁コイルで駆動される常閉接点を直列接続して前記第２の回路を構成したことを特徴とする請求項３に記載のエレベーターの保守点検用ブレーキ制御装置。
【請求項５】
前記ブレーキは２個設けられており、一方のブレーキに接続される常閉接点は前記第１の励磁コイルで駆動され、他方のブレーキに接続される常閉接点は前記第２の励磁コイルで駆動されることを特徴とする請求項４に記載のエレベーターの保守点検用ブレーキ制御装置。
【請求項６】
乗りかごを駆動する電動機を制動する２個のブレーキを制御するエレベーターの保守点検用ブレーキ制御装置において、
前記ブレーキの各々に設けたブレーキコイルと、前記ブレーキコイルを動作させる回路上にそれぞれ設けられ、前記ブレーキコイルを独立させて動作させる常閉接点と、前記常閉接点と同時に動作する接点を複数有するブレーキ安全回路と、前記ブレーキごとに設けた常閉接点をそれぞれ動作させる第１、第２の励磁コイルと、前記ブレーキ安全回路が有する複数の接点及び前記ブレーキコイルを動作させる接点の接点動作が確立した以降に閉路となる時限接点と、前記第１、第２の励磁コイルのいずれか一方に通電させる切替えスイッチおよび前記切替えスイッチにより切り替えられたブレーキを動作させるブレーキ開放スイッチを有するブレーキ開放手段と、前記ブレーキコイルに電力を供給可能なバッテリーとを備え、前記ブレーキ開放手段は着脱可能であり、保守点検時に前記バッテリーからの電力供給を可能として前記切替えスイッチにより一方のブレーキを開放するときに、前記常閉接点が故障していたら当該常閉接点と一緒に動作する前記ブレーキ安全回路の動作により当該ブレーキの開放動作を行わないことを特徴とするエレベーターの保守点検用ブレーキ制御装置。
【請求項７】
前記常閉接点が故障していたら報知する報知手段を設けたことを特徴とする請求項６に記載のエレベーターの保守点検用ブレーキ制御装置。
【請求項８】
ブレーキ開放操作から前記時限接点が設定した時間経過後にブレーキ開放を行うことをブザー音等により周囲へ知らせる報知手段を設けたことを特徴とする請求項６に記載のエレベーターの保守点検用ブレーキ制御装置。